(57)【要約】【課題】スケジュールにより複数の空気調和機が所定台数同時に運転する場合において、空気調和機の消費電力量を演算し、目標設定された目標電力量になるように制御優先度に従って複数の空気調和機のスケジュールを所定値スライドさせ快適性を損なうことなく空気調和機のデマンド電力制御を可能とする遠隔制御装置を提供する。【解決手段】目標デマンド電力を入力する目標デマンド電力入力手段８と、空気調和機２の運転スケジュールを設定するスケジュール設定手段１１と、空気調和機の制御優先度を入力する優先度入力手段１０と、空気調和機２の運転スケジュールを優先度入力手段１０の制御優先度に従って所定値スライドさせるスケジュール演算手段１２を設け、運転スケジュールにより同時に運転する場合でも快適性を損なうことなく空気調和機のデマンド電力制御を可能とする。【選択図】図１
2006194553.tif 000002
【特許請求の範囲】
【請求項１】
電力会社が設置する電力取引用計器からの計量パルス信号を検出するパルス信号検出手段と、前記パルス信号検出手段で検出した計量パルスからデマンド電力を演算するデマンド電力演算手段と、目標デマンド電力を入力する目標デマンド電力入力手段と、複数台の空気調和機の運転状態を検出する運転状態検出手段と、前記複数台の空気調和機の運転スケジュールを設定するスケジュール設定手段と、前記複数台の空気調和機の制御優先度を入力する優先度入力手段と、前記複数台の空気調和機が所定台数以上同時に動作するスケジュールの場合、前記複数台の空気調和機の運転スケジュールを前記優先度入力手段の制御優先度に従って所定値スライドさせるスケジュール演算手段とを備えた遠隔制御装置であって、前記デマンド電力演算手段で算出されたデマンド値が、目標デマンド値となるように前記スケジュール演算手段で決定されたスケジュールに従い電力調整手段を介し空気調和機の発停あるいは能力制御を行うことを特徴とする遠隔制御装置。
【請求項２】
スケジュール進行手段を設け、複数台の空気調和機が所定台数以上同時に動作する台数と優先度入力手段で入力された制御優先度を比較し、制御優先度の高い空気調和機のスケジュールを所定時間早める演算結果を前記スケジュール演算手段に引き渡すことを特徴とする、請求項１記載の遠隔制御装置。
【請求項３】
優先度申請手段を設け、空気調和機の使用者自らが制御優先度を決定でき、制御優先度の高い使用者に電気料金の割引を実施することを特徴とする、請求項１記載の遠隔制御装置。
【請求項４】
スケジュール遅延手段を設け、複数台の空気調和機が所定台数以上同時に動作する台数と優先度入力手段で入力された制御優先度が前記優先度申請手段から申請された制御優先度の場合、制御優先度の高い空気調和機のスケジュールを所定時間遅らす演算結果を前記スケジュール演算手段に引き渡すことを特徴とする、請求項１および３のいずれかまたは両方に記載の遠隔制御装置。
【請求項５】
スケジュール使用の有無を切り換えるスケジュール切換手段を設け、スケジュール設定手段により設定されたスケジュールを使用するかスケジュール演算手段で演算されたスケジュールを使用するかスケジュールを所定時間早めるか遅らすかを切り換えることを特徴とする、請求項１〜４のいずれかに記載の遠隔制御装置。
【請求項６】
ポイント保存手段を設け、優先度申請手段にて申請した制御優先度に応じてポイントを貯めることを特徴とする請求項３記載の遠隔制御装置。
【発明の詳細な説明】
【技術分野】
【０００１】
本発明は、デマンド電力の遠隔制御装置に関するものである。
【背景技術】
【０００２】
従来、この種の遠隔制御装置では、例えば図７に記載された遠隔制御装置があった。
【０００３】
図７において、電力量に対する発信装置付電力量計１０７からのパルス信号を信号線１０９を介して入力するパルス信号入力部１０２と、パルス信号から時限最終時のデマンド電力を予測算出する予測デマンド電力算出手段１０３と、室内温度および設定温度から停止する空気調和機１０８の順番を決定する停止優先検出手段１０４と、電力調整制御手段を決定する電力調整手段１０５と、複数の空気調和機１０８を制御する制御信号出力部１０６とを備えた端末機１０１を設け、端末機１０１は予測デマンド電力算出手段１０３で求められた予測デマンド値が設定デマンド値を超過したとき停止優先検出手段１０４で決定された順番で電力調整手段１０５で決定された制御信号を制御信号出力部１０６から出力し複数の空気調和機１０８の停止制御を行っていた（例えば、特許文献１参照）。
【特許文献１】特開昭６２−２２９５０号公報
【発明の開示】
【発明が解決しようとする課題】
【０００４】
しかしながら、前記従来の構成では、室内温度および設定温度の差に応じて空気調和機の停止する順番を決定していた。
【０００５】
このため複数の空気調和機が同時に動作するスケジュールが設定された場合に停止する空気調和機が発生し、室内の快適性が損なわれる課題を有していた。
【０００６】
また、居住者の意向を考慮せず空気調和機を停止するため管理者と居住者の間でトラブルの可能性がある課題を有していた。
【０００７】
本発明は、前記従来の課題を解決するもので、スケジュールにより複数の空気調和機が所定台数同時に運転する場合において、複数の空気調和機の消費電力量を演算し、目標設定された目標電力量になるように制御優先度に従って複数の空気調和機のスケジュールを所定値スライドさせ快適性を損なうことなく空気調和機のデマンド電力制御を可能とする遠隔制御装置を提供することを目的とする。
【課題を解決するための手段】
【０００８】
前記従来の課題を解決するために、本発明の遠隔制御装置は、目標デマンド電力を入力する目標デマンド電力入力手段と、複数台の空気調和機の運転状態を検出する運転状態検出手段と、複数台の空気調和機の運転スケジュールを設定するスケジュール設定手段と、複数台の空気調和機の制御優先度を入力する優先度入力手段と、複数台の空気調和機が所定台数以上同時に動作するスケジュールの場合、複数台の空気調和機の運転スケジュールを優先度入力手段の制御優先度に従って所定値スライドさせるスケジュール演算手段を設けたものである。
【０００９】
これによって、複数の空気調和機が所定台数同時に運転する場合においても、デマンド電力演算手段で算出されたデマンド値が、目標デマンド値となるように所定の空気調和機のスケジュールを所定時間スライドさせ電力調整手段により空気調和機の発停あるいは能力制御を行うことでデマンド電力制御を可能とする。
【００１０】
また、スケジュール進行手段を設けたものである。
【００１１】
これによって、制御優先度の高い空気調和機のスケジュールを所定時間早める演算結果をスケジュール演算手段に引き渡すことで運転オンスケジュール前に所定台数を予め運転し、正規の運転オンスケジュール時間になるとこれらを停止し残りを運転することで快適性を損なうことなくデマンド電力制御を可能とする。
【００１２】
また、優先度申請手段を設けたものである。
これにより、空気調和機の使用者自らが制御優先度を決定でき、制御優先度の高い使用者に電気料金の割引を実施することができる。
【００１３】
また、スケジュール遅延手段を設けたものである。
これにより、優先度申請手段から申請された制御優先度の高い空気調和機のスケジュールを所定時間遅らすことで希望者のみのデマンド電力制御を可能とし管理者と居住者のトラブルを削減できる。
【００１４】
また、スケジュール使用の有無を切り換えるスケジュール切換手段を設けたものである。
【００１５】
これにより、通常のスケジュールを使用するかデマンド電力制御可能なスケジュールを使用するかスケジュールを所定時間早めるか遅らすかを切り換えることができるため使い勝手の向上が図れる。
【００１６】
また、ポイント保存手段を設けたものである。
【００１７】
これにより、優先度申請手段にて申請した制御優先度に応じてポイントを貯めることができ、電力料金割引や共益費割引など各種コンテンツに活用することができる。
【発明の効果】
【００１８】
本発明の遠隔制御装置は、スケジュールにより複数の空気調和機が所定台数同時に運転する場合においても、デマンド電力演算手段で算出されたデマンド値が、目標デマンド値となるように所定の空気調和機のスケジュールを所定時間スライドさせ電力調整手段により空気調和機の発停あるいは能力制御を行うことで快適性を損なわずデマンド電力制御を可能とする。
【発明を実施するための最良の形態】
【００１９】
第１の発明は、電力会社が設置する電力取引用計器からの計量パルス信号を検出するパルス信号検出手段と、前記パルス信号検出手段で検出した計量パルスからデマンド電力を演算するデマンド電力演算手段と、目標デマンド電力を入力する目標デマンド電力入力手段と、複数台の空気調和機の運転状態を検出する運転状態検出手段と、前記複数台の空気調和機の運転スケジュールを設定するスケジュール設定手段と、前記複数台の空気調和機の制御優先度を入力する優先度入力手段と、前記複数台の空気調和機が所定台数以上同時に動作するスケジュールの場合、前記複数台の空気調和機の運転スケジュールを前記優先度入力手段の制御優先度に従って所定値スライドさせるスケジュール演算手段を備えることにより、複数の空気調和機が所定台数同時に運転する場合においても、デマンド電力演算手段で算出されたデマンド値が、目標デマンド値となるように所定の空気調和機のスケジュールを所定時間スライドさせ電力調整手段を介して空気調和機の発停あるいは能力制御を行うことでデマンド電力制御を可能とする。
【００２０】
第２の発明は、スケジュール進行手段を備えることにより、特に、第１の発明のデマンド電力演算手段で算出されたデマンド値が、目標デマンド値となるように複数台の空気調和機が所定台数以上同時に動作する台数と優先度入力手段で入力された制御優先度を比較し、制御優先度の高い空気調和機のスケジュールを所定時間早める演算結果をスケジュール演算手段に引き渡す。これにより、運転オンスケジュール前に所定台数を予め運転し、正規の運転オンスケジュール時間になるとこれらを停止し残りを運転することで快適性を損なうことなくデマンド電力制御を可能とする。
【００２１】
第３の発明は、優先度申請手段を備えることにより、特に、第１の発明の制御優先度入力において、空気調和機の使用者自らが制御優先度を決定でき、制御優先度の高い使用者に電気料金の割引を実施することができる。
【００２２】
第４の発明は、スケジュール遅延手段を備えることにより、特に、第１および第３の発明のデマンド電力演算手段で算出されたデマンド値が、目標デマンド値となるように複数台の空気調和機が所定台数以上同時に動作する台数と優先度入力手段で入力された制御優先度が優先度申請手段から申請された制御優先度の場合、制御優先度の高い空気調和機のスケジュールを所定時間遅らす演算結果をスケジュール演算手段に引き渡す。これにより、優先度申請手段から申請された制御優先度の高い空気調和機のスケジュールを所定時間遅らすことで希望者のみのデマンド電力制御を可能とし管理者と居住者のトラブルを削減できる。
【００２３】
第５の発明は、スケジュール使用の有無を切り換えるスケジュール切換手段を備えることにより、特に、第１〜４の発明のスケジュール設定手段で設定されたスケジュールを使用するかスケジュール演算手段で演算されたスケジュールを使用するかスケジュールを所定時間早めるか遅らすかを切り換えることにより、使い勝手の向上が図れる。
【００２４】
第６の発明は、ポイント保存手段を備えることにより、特に第３の発明の優先度申請手段にて申請した制御優先度に応じてポイントを貯めることができ、電力料金割引や共益費割引など各種コンテンツに活用することができる。
【００２５】
以下、本発明の実施の形態について、図面を参照しながら説明する。なお、この実施の形態によって本発明が限定されるものではない。
【００２６】
（実施の形態１）
図１は、本発明の第１の実施の形態における遠隔制御装置１のブロック図を示すものである。
【００２７】
図１において、遠隔制御装置１は、パルス信号検出手段６、デマンド電力演算手段７、目標デマンド電力入力手段８、運転状態検出手段９、優先度入力手段１０、スケジュール設定手段１１、スケジュール演算手段１２、電力調整手段１４から構成されている。
【００２８】
以上のように構成された遠隔制御装置について、以下その動作、作用を説明する。
【００２９】
まずパルス信号検出手段６は、電力取引用計器４から出力される計量パルスを計量パルス信号計測用信号線５を介して検出する。次にデマンド電力演算手段７は、パルス信号検出手段６で検出する計量パルスからデマンド時限毎にデマンド電力を演算し数値化する（例：１０ｋＷｈ,２０ｋＷｈ・・・１０ｋＷｈ）するとともに空気調和機の消費電力量合計を演算する（例：１２０ｋＷ）。
【００３０】
目標デマンド電力入力手段８は、月々の基本電気料金に影響のあるデマンド電量力（最
大需用電力量）を削減するために利用可能な目標電力量（例：１００ｋＷ）を入力する。
【００３１】
優先度入力手段８は、運転状態検出手段９で得られた空気調和機２（２Ａ、・・・、２ｎ）の現在の運転状態（運転，停止，運転モード，設定温度，設定風量吸い込み温度）をもとに空気調和機２の制御優先度を入力する（例：２Ａ＝優先度高、２Ｂ＝優先度低・・・２ｎ＝優先度中）。
【００３２】
スケジュール設定手段１１は、複数の空気調和機２が所定の時刻になると動作する運転状態を設定する（例：学校、工場など朝９時に一斉に冷房運転開始予約）。
【００３３】
次にスケジュール演算手段１２は、複数台の空気調和機２が所定台数以上同時に動作するスケジュールの場合、複数台の空気調和機２の運転スケジュールを優先度入力手段８で設定された制御優先度に従って所定時間スライドさせ（例：優先度高分の空気調和機２Ａ、２Ｂ、２Ｃをスライド対象に入れる）、電力調整手段１４は、空気調和機２の消費電力量合計（１２０ｋＷ）が目標デマンド電力入力手段８で入力されたデマンド電力（１００ｋＷ）以下になるようにスライド対象の空気調和機２Ａ、２Ｂ、２Ｃを制御用信号線３aを介して事前に動作させ、または遅延動作を行う。以降この動作を繰り返す。
【００３４】
以上のように構成された遠隔制御装置１は、デマンド電力演算手段８で算出されたデマンド値が、目標デマンド値となるようにスケジュール演算手段１２で演算された所定の空気調和機２のスケジュールを所定時間スライドさせ電力調整手段１４を介して空気調和機２の発停あるいは能力制御を行う。
【００３５】
したがって複数の空気調和機２が所定台数同時に運転するスケジュールが設定された場合においても、デマンド電力制御を可能とすることができる。
【００３６】
（実施の形態２）
図２は、本発明の第２の実施の形態における遠隔制御装置１のブロック図を示すものである。
【００３７】
図１と同じ構成要素については同じ符号を用い説明を省略する。
【００３８】
図２において、遠隔制御装置１は、パルス信号検出手段６、デマンド電力演算手段７、目標デマンド電力入力手段８、運転状態検出手段９、優先度入力手段１０、スケジュール設定手段１１、スケジュール演算手段１２、電力調整手段１４、スケジュール進行手段１５から構成されている。
【００３９】
以上のように構成された用遠隔制御装置について、以下その動作、作用を説明する。
【００４０】
まず、スケジュール進行手段１５は、複数台の空気調和機２が所定台数以上同時に動作する台数と優先度入力手段１０で入力された制御優先度を比較し、制御優先度の高い空気調和機のスケジュールを所定時間（例：３０分）早める演算結果をスケジュール演算手段１２に引き渡す（例：優先度高分の空気調和機２Ａ、２Ｂ、２Ｃを選択）。以降この動作を繰り返す。
【００４１】
以上のように構成された遠隔制御装置１は、運転オンスケジュール前に所定の空気調和機２Ａ、２Ｂ、２Ｃを予め運転し、正規の運転オンスケジュール時間になるとこれらを停止し残りの空気調和機２Ｄ、２Ｅ、２Ｆを運転する。
【００４２】
したがって複数の空気調和機２が所定台数同時に運転するスケジュールが設定された場
合においても、快適性を損なうことなくデマンド電力制御を可能とする。
【００４３】
（実施の形態３）
図３は、本発明の第３の実施の形態における遠隔制御装置１のブロック図を示すものである。
【００４４】
図１と同じ構成要素については同じ符号を用い説明を省略する。
【００４５】
図３において、遠隔制御装置１は、パルス信号検出手段６、デマンド電力演算手段７、目標デマンド電力入力手段８、運転状態検出手段９、優先度入力手段１０、スケジュール設定手段１１、スケジュール演算手段１２、電力調整手段１４、優先度申請手段１６から構成されている。
【００４６】
以上のように構成された遠隔制御装置について、以下その動作、作用を説明する。
【００４７】
まず、優先度申請手段１６は、空気調和機２の使用者自らが自宅の空気調和機２の制御優先度を決定し優先度入力手段１０に制御優先度（例：空気調和機Ａは優先度高）を登録する。以降この動作を繰り返す。
【００４８】
以上のように構成された遠隔制御装置１は、空気調和機の利用者が自ら制御優先度を決定できる優先度申請手段１６から制御優先度を申請できる。
したがって、制御優先度の高い使用者に電気料金の割引を実施することができる。
尚、優先度申請手段１６で申請された制御優先度が低い場合は電気料金の上乗せができるものでも良い。
【００４９】
（実施の形態４）
図４は、本発明の第４の実施の形態における遠隔制御装置１のブロック図を示すものである。
【００５０】
図１、図３と同じ構成要素については同じ符号を用い説明を省略する。
【００５１】
図４において、遠隔制御装置１は、パルス信号検出手段６、デマンド電力演算手段７、目標デマンド電力入力手段８、運転状態検出手段９、優先度入力手段１０、スケジュール設定手段１１、スケジュール演算手段１２、電力調整手段１４、優先度申請手段１６、スケジュール遅延手段１７から構成されている。
【００５２】
以上のように構成された遠隔制御装置について、以下その動作、作用を説明する。
【００５３】
まず、スケジュール遅延手段１７は、複数台の空気調和機２が所定台数以上同時に動作する台数と優先度入力手段１０で入力された制御優先度が優先度申請手段１７から申請された制御優先度（例：空気調和機Ａは優先度高）の場合、制御優先度の高い空気調和機２のスケジュールを所定時間（例：３０分）遅らす演算結果を前記スケジュール演算手段１２に引き渡す（例：優先度高分の空気調和機２Ａを選択）。以降この動作を繰り返す。
【００５４】
以上のように構成された遠隔制御装置１は、運転オンスケジュール後に優先度申請手段１６で申請された空気調和機２Ａを運転する。
【００５５】
このため正規の運転オンスケジュール時間になると残りの空気調和機２Ｂ、２Ｃ、２Ｄを運転し、所定時間（例：３０分後）になるとこれらを停止し先に選択された空気調和機２Ａを運転する。
【００５６】
したがって複数の空気調和機２が所定台数同時に運転するスケジュールが設定された場合においても、優先度申請手段１６から申請された制御優先度の高い空気調和機のスケジュールを所定時間遅らすことで希望者のみのデマンド電力制御を可能とし管理者と居住者のトラブルを削減できる。
【００５７】
（実施の形態５）
図５は、本発明の第５の実施の形態における遠隔制御装置１のブロック図を示すものである。
【００５８】
図１〜図４と同じ構成要素については同じ符号を用い説明を省略する。
【００５９】
図５において、遠隔制御装置１は、パルス信号検出手段６、デマンド電力演算手段７、目標デマンド電力入力手段８、運転状態検出手段９、優先度入力手段１０、スケジュール設定手段１１、スケジュール演算手段１２、電力調整手段１４、スケジュール切換手段１８から構成されている。
【００６０】
以上のように構成された遠隔制御装置について、以下その動作、作用を説明する。
【００６１】
まず、スケジュール切換手段１８は、スケジュール設定手段１１により設定されたスケジュールを使用するかスケジュール演算手段１２で演算されたスケジュールを使用するかスケジュールを所定時間早めるか遅らすかを切り換えることができる。
【００６２】
したがって使い勝手の向上が図れる。
【００６３】
（実施の形態６）
図６は、本発明の第６の実施の形態における遠隔制御装置１のブロック図を示すものである。
【００６４】
図３と同じ構成要素については同じ符号を用い説明を省略する。
【００６５】
図６において、遠隔制御装置１は、パルス信号検出手段６、デマンド電力演算手段７、目標デマンド電力入力手段８、運転状態検出手段９、優先度入力手段１０、スケジュール設定手段１１、スケジュール演算手段１２、電力調整手段１４、優先度申請手段１６、ポイント保存手段から構成されている。
【００６６】
以上のように構成された遠隔制御装置について、以下その動作、作用を説明する。
【００６７】
まず、ポイント保存手段は１９、優先度申請手段１８にて申請した制御優先度（例：空気調和機Ａは優先度高）に応じてポイント（例：優先度高は１０、優先度中は８、優先度小は６）を貯めることができる。
【００６８】
したがって電力料金割引や共益費割引など各種コンテンツに活用することができる。
【産業上の利用可能性】
【００６９】
以上のように、本発明の遠隔制御装置は、空気調和機の消費電力量を目標値以下になるように制御するデマンド電力制御において、学校や工場のような運転スケジュールにより同時に運転する設置条件においても、空気調和機に制御優先度を設定し制御優先度に応じて所定台数運転時間をスライドすることで快適性を損なわずにデマンド電力制御ができ電気料金の削減ができる。これらは照明設備や給排気ファン等の一般設備機器を対象とした
デマンド電力制御にも適用できる。
【図面の簡単な説明】
【００７０】
【図１】本発明の実施の形態１における遠隔制御装置のブロック図
【図２】本発明の実施の形態２における遠隔制御装置のブロック図
【図３】本発明の実施の形態３における遠隔制御装置のブロック図
【図４】本発明の実施の形態４における遠隔制御装置のブロック図
【図５】本発明の実施の形態５における遠隔制御装置のブロック図
【図６】本発明の実施の形態６における遠隔制御装置のブロック図
【図７】従来の遠隔制御装置のブロック図
【符号の説明】
【００７１】
１  遠隔制御装置
２Ａ、２ｎ  空気調和機
３ａ、３ｂ  通信線
４  電力取引用計器
５  信号線
６  パルス信号検出手段
７  デマンド電力演算手段
８  目標デマンド電力入力手段
９  運転状態検出手段
１０  優先度入力手段
１１  スケジュール設定手段
１２  スケジュール演算手段
１４  電力調整手段
１５  スケジュール進行手段
１６  優先度申請手段
１７  スケジュール遅延手段
１８  スケジュール切換手段
１９  ポイント保存手段
【図１】
2006194553.tif 000003
【図２】
2006194553.tif 000004
【図３】
2006194553.tif 000005
【図４】
2006194553.tif 000006
【図５】
2006194553.tif 000007
【図６】
2006194553.tif 000008
【図７】
2006194553.tif 000009